【事件の表示】
　特願２００３−３８５７９６「インクジェットプリンタ」拒絶査定不服審判事件〔平成１６年　９月１６日出願公開、特開２００４−２５５８６２〕について、次のとおり審決する。
【結　論】
　本件審判の請求は、成り立たない。
【理　由】
第１　手続の経緯　
　本願は、平成１５年１１月１４日（優先権主張平成１５年２月４日）の出願であって、平成２０年７月２２日及び同年１０月１７日に手続補正がなされ、同年１２月５日付けで拒絶査定がなされ、これに対して、平成２１年１月９日付けで拒絶査定不服審判が請求されるとともに、同年２月９日付けで手続補正がなされたものである。
　
第２　平成２１年２月９日付け手続補正についての補正却下の決定
　
〔補正却下の決定の結論〕
　平成２１年２月９日付け手続補正を却下する。
　
〔理由〕
１　本件補正の内容
（１）平成２１年２月９日付け手続補正（以下「本件補正」という。）は、特許請求の範囲及び明細書についてするもので、特許請求の範囲については、本件補正前の請求項１に、
「被記録媒体に対して移動するキャリッジにインクジェット式の記録ヘッドを搭載し、プリンタの本体に搭載されたインクタンクからインク供給管を介して、前記キャリッジに搭載されたバッファタンクを経て前記記録ヘッドにインクを供給するように構成されたインクジェットプリンタにおいて、
　前記記録ヘッドは複数のインク供給チャンネルを有し、
　前記バッファタンクには、インクとそのインクから分離した気泡とを貯留するエアバッファ室が各インク供給チャンネルに対応して複数形成され、
　前記キャリッジには、前記
各エアバッファ室に
　前記各気泡排出通路は、前記気泡排出のための流路抵抗値が相互にほぼ等しく形成され、
前記キャリッジ外の位置には、該各排気弁手段を開放させる弁操作部材を有する気泡除去手段、及び前記各エアバッファ室からの気泡排出時に前記各エアバッファ室内のインクに共通に作用するポンプが備えられ、
前記排気弁手段は、前記記録ヘッドからインクを吐出するときには閉じられ、前記気泡排出時には開放されることを特徴とするインクジェットプリンタ。」とあったものを、
　
「被記録媒体に対して移動するキャリッジにインクジェット式の記録ヘッドを搭載し、プリンタの本体に搭載されたインクタンクからインク供給管を介して、前記キャリッジに搭載されたバッファタンクを経て前記記録ヘッドにインクを供給するように構成されたインクジェットプリンタにおいて、
　前記記録ヘッドは複数のインク供給チャンネルを有し、
　前記バッファタンクには、インクとそのインクから分離した気泡とを貯留するエアバッファ室が各インク供給チャンネルに対応して複数形成され、
　前記キャリッジには、前記
各エアバッファ室の天井壁に
　前記各気泡排出通路は、前記気泡排出のための流路抵抗値が相互にほぼ等しく形成され、
前記キャリッジ外の位置には、該各排気弁手段を開放させる弁操作部材を有する気泡除去手段、及び前記各エアバッファ室からの気泡排出時に前記各エアバッファ室内のインクに共通に作用するポンプが備えられ、
前記排気弁手段は、前記記録ヘッドからインクを吐出するときには閉じられ、前記気泡排出時には開放されることを特徴とするインクジェットプリンタ。」と補正する内容を含むものである。（下線は審決で付した。以下同じ。）
　
（２）本件補正後の請求項１に係る発明についての上記（１）の補正内容は、本件補正前の請求項１に記載した発明を特定するために必要な事項である「各エアバッファ室に一端を接続し他端を外部に開放可能とする気泡排出通路」について、一端を接続する箇所を各エアバッファ室の「天井壁」に限定するものである。
　
２　補正の目的
　本件補正後の請求項１に係る上記１（２）の補正内容は、本件補正前の請求項１に記載した発明を特定するために必要な事項を限定するものであるから、平成１８年法律第５５号改正附則第３条第１項によりなお従前の例によるとされる同法による改正前の特許法第１７条の２第４項第２号の「特許請求の範囲の減縮」を目的とするものである。
　そこで、本件補正後の請求項１に係る発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
３　刊行物の記載
　原査定の拒絶の理由に引用された「本願の優先日前に頒布された刊行物である特開平５−３１８７５５号公報（以下「引用例」という。）」には、次の事項が図とともに記載されている。
（１）「【０００１】
【産業上の利用分野】本発明は、
インクタンク内に収容された記録液としてのインクを、インクジェット記録ヘッドのインク吐出口から液滴として吐出、飛翔させ被記録媒体に付着させて記録を行うインクジェット記録装置
…略…
【００２３】
【実施例】次に図面を参照しながら、本発明の実施例を説明するが、本発明は以下の実施例に限定されるものではない。
【００２４】次に、図１〜２５により、本発明の
インクジェット記録装置
【００２５】図１は実施例１の要部の概略説明図で、図１Ａは左右方向（紙面に垂直な方向、図３のＹ1−Ｙ2方向）に
往復駆動されるヘッドキャリッジＣに、黒用ヘッドカートリッジＫ1およびカラー用ヘッドカートリッジＫ2
が装着され
【００２６】また、図４〜７はヘッドキャリッジＣ単体の説明図で、その図４は平面図、図５は前記図４の矢印５から見た図、図６は前記図４の矢印６−６線断面図、図７は前記図４の７−７線断面図である。
【００２７】図１Ａ，１Ｂにおいて、インクジェット記録装置Ｕは、前後（Ｘ1−Ｘ2方向）に間隔を置いて左右方向（Ｙ1−Ｙ2方向）に延びる前側ガイドシャフト１および後側ガイドシャフト２を有している。また、インクジェット記録装置Ｕは、前記一対のガイドシャフト１，２に沿ってヘッドキャリッジＣを往復駆動するためのエンドレスの駆動ベルト３を有している。この駆動ベルト３の外側面には凹凸の溝が形成されている。
【００２８】前記ヘッドキャリッジＣは
非印字時には、ホームポジションで停止している
ホームポジションで停止したヘッドキャリッジＣの下方には、
キャッピング装置Ｂが配置されて
上下動可能な支持プレートＢ1とこの支持プレートＢ1上面に固定された複数のブラケットＢ2とを備えている
キャップ部材４
一対のブラケットＢ2，Ｂ2により回転自在に支持される回転自在なキャップ支持軸４a、このキャップ支持軸４aに一体的に連結されたキャップ本体４b、このキャップ本体４b上面に装着された長方形の弾性材料枠４cから構成されている
前記キャップ本体４b
の貫通孔に接続された接続管Ｒ1は
は接続チューブを介して吸引ポンプＰ1に接続され
【００２９】
前記支持プレートＢ1には吸引ノズル５が支持され
吸引ノズル５に接続された接続管Ｒ2は、
接続チューブを介して吸引ポンプＰ2に接続されて
インクジェット記録ヘッドの中継液室内に連通する気泡抜き口に接続されて、前記中継液室内の流体を吸引するのに使用される部材である
【００３０】
前記キャップ部材４および吸引ノズル５は前後方向に並んで配置されており、また、前記キャップ部材４および吸引ノズル５はそれぞれ左右方向、
各々４個づつ並んで配置され
ヘッドキャリッジＣに装着される後述の黒、イエロー、マゼンタ、およびシアンの各色のインクを吐出する合計４個のインクジェット記録ヘッドに対応するため
【００３１】図３〜７に示すように、ヘッドキャリッジＣは平面図（図３，４参照）で見て略長方形のキャリッジ本体６を有し、そのキャリッジ本体６の前側下部（図３中、矢印Ｘ1側下部）にガイドシャフト貫通孔７が形成され、その後側下部（図３中、矢印Ｘ2側下部）にガイドシャフト係合溝８が形成されている。そして、前記ガイドシャフト貫通孔７およびガイドシャフト係合溝８はそれぞれ、前記図１Ａに示す前側ガイドシャフト１および後側ガイドシャフト２とスライド自在に嵌合している。
【００３２】図１Ａ，１Ｂ，３から分かるように、キャリッジ本体６の前端側の左右方向中央部には、ベルト連結部材９が設けられている。このベルト連結部材９は、前記駆動ベルト３を上下から挟持するための上側挟持部材９aおよび下側挟持部材９bを有している。前記上側挟持部材９aの下面には、前記駆動ベルト３外側面の凹凸と係合する凹凸が形成されている。前記ベルト連結部材９および駆動ベルト３の連結は、前記ベルト連結部材９の前側から前記上側挟持部材９aおよび下側挟持部材９bの間の隙間に前記駆動ベルト３を挿入して、駆動ベルト３の凹凸と前記上側挟持部材９a下面の凹凸とを係合させることにより行う。前記駆動ベルト３とベルト連結部材９とが連結された状態で図示しない駆動モータおよび伝動機構により前記駆動ベルト３を往復動させると、ヘッドキャリッジＣは、前記一対のガイドシャフト１，２に沿って左右方向（Ｙ1−Ｙ2方向、すなわち、主走査方向）に往復動するようになっている。このような、駆動ベルトによりヘッドキャリッジをガイドシャフトに沿って往復動させる構成は、従来公知の技術により実現することができる。
【００３３】図１Ａ，６，７において、
前記キャリッジ本体６の後部上面にはキャリッジ後壁１１が上方に伸びて形成され
…略…
【００４２】
前記キャリッジ後壁１１のインク供給用接続部材収容凹部１７（図１Ａ参照）に設けられた前記黒インク供給接続部材装着孔１８
およびカラーインク供給接続部材装着孔１９，２０，２１にはそれぞれ、インク供給用の筒状のジョイント接続部材
４１が装着され
【００４３】図２において、前記筒状のインク供給用のジョイント接続部材は、ゴムまたは合成樹脂等の弾性部材から構成されており、前後方向の中間には前側部分の変位を可能とするための肉厚の薄い弾性付与部４１aが設けられている。弾性付与部４１aは外周面に凹溝が形成されその部分の側壁が薄くなっている。前記インク供給用のジョイント接続部材４１は、前記弾性付与部４１aと、その後側の固定部４１bと、前側のカートリッジ接続部（すなわち、接合部分）４１cを有している。前記固定部４１b外側面には、前記黒インク供給接続部材装着孔１８に嵌合する凹溝４１dが形成されている。前記凹溝４１dが前記黒インク供給接続部材装着孔１８に嵌合することにより、ジョイント接続部材４１はキャリッジ後壁１１に固定されている。
【００４４】前記
ジョイント接続部材４１のカートリッジ接続部（すなわち、接合部分）４１cの前端外側面は先細りの円錐状テーパ面に形成されており、
ヘッドカートリッジＫ1，Ｋ2のテーパ状接続部を有するキャップ状のインクジョイントに押し付けられたときに自動的に接続され
前記筒状のジョイント接続部材４１の内孔には、固定部４１bの後端側から柔軟性のあるインク供給チューブ４２の一端が挿入され
インク供給チューブ４２の他端は、インクジェット記録装置Ｕの適当な位置に固定配置されたインクタンク
に接続されている
…略…
【００５２】次に、図８〜１８により、前記黒用ヘッドカートリッジＫ1について説明する。図８は黒用ヘッドカートリッジＫ1の後面図、図９は黒用ヘッドカートリッジＫ1の右側面図（前記図８の矢印９から見た図）、図１０は黒用ヘッドカートリッジＫ1の左側断面図（前記図８の１０−１０線断面図）、図１１は黒用ヘッドカートリッジＫ1の上面図（前記図８の矢印１１から見た図）、図１２は黒用ヘッドカートリッジＫ1の上断面図（前記図８の矢印１２−１２線断面図）、図１３は黒用ヘッドカートリッジＫ1の底面図（前記図８の矢印１３から見た図）、である。また、図１４は黒用ヘッドカートリッジＫ1の分解斜視図、図１５は黒用ヘッドカートリッジＫ1のケース内部に収容されたインクジェット記録ヘッドの後面図、図１６は前記図１５に示すインクジェット記録ヘッドの左側面図（前記図１５の矢印１６から見た図）、図１７は前記インクジェット記録ヘッドの底面図（前記図１６の矢印１７から見た図）、である。また、図１８はインクジェット記録ヘッドＨの詳細説明図で、図１８Ａは前記インクジェット記録ヘッドの分解斜視図、図１８Ｂはインクジェット記録ヘッドＨの要部の詳細説明図である。
【００５３】図１４に示すように、
黒用ヘッドカートリッジＫ1は、インクジェット記録ヘッドＨを支持するための黒用カートリッジケース（すなわち、ヘッド支持部材）６１を備えており、この黒用カートリッジケース６１は、黒用カートリッジ下部ケース６２、黒用カートリッジ上部ケース６３から構成され
…略…
【００５７】また、黒用カートリッジ下部ケース６２内部には前記ヘッド挿入孔６２aから後述のインクジェット記録ヘッドＨが挿入されたときにそれを所定位置に固定するためのヘッド位置決め部材としての上端位置決めリブ６２f，６２fおよび左右方向位置決め用リブ６２g（図１０，１２参照）が設けられている。前記上端位置決めリブ６２f，６２fは後述のヒートシンクの上端位置に当接するリブであり、前記左右方向位置決め用リブ６２gは同ヒートシンクの上部の左側に当接するリブである。さらに、
前記黒用カートリッジ下部ケース６２
には
半円形の切欠部
が設けられ
【００５８】…略…。
【００５９】前記黒用カートリッジ下部ケース６２に接着される
黒用カートリッジ上部ケース６３は、
半円形の切欠部
を有し
この切欠部と前記黒用カートリッジ下部ケース６２の半円形の切欠部とによって１個の円形のインク接続キャップ装着孔６１a
が形成され
前記インク接続キャップ装着孔６１aには、
キャップ状のインクジョイント６４
が装着され
【００６０】また、黒用カートリッジ上部ケース６３の後面にはボード装着口６３a（図１４参照）が形成されている。このボード装着口６３aには図１０に示すように、カートリッジ側ボード６６がネジ６７により固定されている。なお、前記ネジ６７を用いる代わりに熱融着等の適当な固着手段により固定することも可能である。カートリッジ側ボード６６はその前面（矢印Ｘ1側の表面）にコネクタ６６a（図１０参照）が装着されており、その後面（矢印Ｘ2側の表面）に前記フレキシブルケーブル４６（図３参照）の黒用接続端子部４６aとの接続端子６６b（図３，１４参照）が形成されている。
【００６１】次に、前記黒用カートリッジケース６１内部に収容されるインクジェット記録ヘッドＨについて説明する。図１８Ａ，１８Ｂにおいて、
インクジェット記録ヘッドＨは、前記黒用カートリッジケース６１（図１４参照）内部に固定されるアルミ製のヒートシンク７１を備え
【００６２】図１０，１３から分かるように、ヒートシンク７１の下端は前記黒用カートリッジケース６１のヘッド挿入孔６２a内に挿入されている。そして、ヒートシンク７１下端の前後方向（Ｘ1−Ｘ2方向）の位置および左右方向（Ｙ1−Ｙ2方向）の位置は前記ヘッド挿入孔６２aの内端面によって位置決めされるようになっている。
【００６３】図１８において、
前記ヒートシンク７
には、
配線基板７２が接合され
【００６４】図１５〜１８において、
前記ヒートシンク７１
にはヘッドチップ７４が接着され
複数のインク吐出路を有している
前記ヘッドチップ７４と配線基板７２とは
多数のボンディングワイヤ７６
によって接続され
【００６５】図１８Ａ，１３，１０から分かるように、
前記ヒートシンク７１
には、前記ヘッドチップ７４、ボンディングワイヤ７６および配線基板７２の下部を覆うようにマニホルド７７が配置され
マニホルド７７は
２個の固定用フランジ７７aと、中継液室（インク収容空間）７７bとを有している
中継液室７７bの上端部にはインク流入口７７cが設けられ、下端部にはインク流出口７７dが設けられ
中継液室７７bには仕切り壁によって分離されたインク吸い込み部材装着部７７eが設けられ
そして、インク吸い込み部材装着部７７eの上端は中継液室７７bの上部に連通し
インク吸い込み部材装着部７７eの下端部には、気泡抜き口７７fが形成され
【００６６】図１８Ａから分かるように、前記ヒートシンク７１、配線基板７２およびマニホルド７７は順次接合されて、前記２個の固定用フランジ７７aをそれぞれ貫通する２本のネジ７８（図１８Ａ，１０参照）によって連結されている。図１０から分かるように、
前記インク流入口７７cには前記インクジョイント６４
の前端部が挿入され
前記インク流入口７７cから中継液室７７b内に流入したインクは前記インク流出口７７dから前記ヘッドチップ７４内に供給されるようになってい
記インク吸い込み部材装着部７７eには、開閉弁７９
が装着され
吸引ノズル５を開閉弁７９先端付近のインク吸い込み部装着部７７eの開口部すなわち気泡抜き口７７fに押し付けて吸引すれば、開閉弁７９の先端部の前記２つ割りの切れ目が開いて、マニホルド７７内の空気を吸引し、マニホルド７７内にインクを充填することができるようになっている
【００６７】次に図１９〜２５を参照して前記図３に示すカラー用ヘッドカートリッジＫ2について説明する。図１９はカラー用ヘッドカートリッジＫ2の後面図、図２０はカラー用ヘッドカートリッジＫ2の右側面図（前記図１９の矢印２０から見た図）、図２１はカラー用ヘッドカートリッジＫ2の左側断面図（前記図１９の２１−２１線断面図）、図２２はカラー用ヘッドカートリッジＫ2の上面図（前記図１９の矢印２２から見た図）、図２３はカラー用ヘッドカートリッジＫ2の上断面図（前記図１９の矢印２３−２３線断面図）、図２４はカラー用ヘッドカートリッジＫ2の底面図（前記図１９の矢印２４から見た図）、である。また、図２５はカラー用ヘッドカートリッジＫ2の分解斜視図である。
【００６８】図２５から分かるように、この
カラー用ヘッドカートリッジＫ2は、イエロー、マゼンタ、シアンの３色のインクを別々に吐出するため３個のインクジェット記録ヘッドＨを備え、それら３個のインクジェット記録ヘッドＨが１個のカラー用カートリッジケース
８１に収容され
前記カラー用ヘッドカートリッジＫ2の３個のインクジェット記録ヘッドＨは、供給されるインクの色が異なるだけでその構成は前記黒用ヘッドカートリッジＫ1のインクジェット記録ヘッドＨの構成とまったく同じであ
前記カラー用ヘッドカートリッジＫ2の３個のインクジェット記録ヘッドＨのそれぞれに供給されるインクの色は黒ではなく、イエロー、マゼンタ、シアンである
【００６９】図２５から分かるように、この
カラー用ヘッドカートリッジＫ2のカラー用カートリッジケース８１は、カラー用カートリッジ下部ケース８２、カラー用カートリッジ上部ケース８３から構成され
カラー用カートリッジ下部ケース８２は、３個のインクジェット記録ヘッドＨが挿入されるように構成された点で、前記１個のインクジェット記録ヘッドＨが挿入されるように構成された黒用カートリッジ下部ケース６２と相違しているが、他の点では略同様に構成されている
…略…
【００７２】また、カラー用カートリッジ下部ケース８２の内部には前記ヘッド挿入孔８２aから３色の各カラー用のインクジェット記録ヘッドＨが挿入されたときにそれらを所定位置に固定するためのヘッド位置決め部材としての上端位置決めリブ８２f，８２fおよび左右方向位置決め用リブ８２g（図２１，２３参照）が設けられている。前記上端位置決めリブ８２f，８２fはインクジェット記録ヘッドＨのヒートシンク７１の上端に当接するリブであり、前記左右方向位置決め用リブ８２gは同ヒートシンクの上部の左側または右側に当接するリブである。さらに、
前記カラー用カートリッジ下部ケース８２
３個の半円形の切欠部
が設けられ
【００７３】…略…。
【００７４】
前記カラー用カートリッジ下部ケース８２に接着されるカラー用カートリッジ上部ケース８３は、前記カラー用カートリッジ下部ケース８２との接続部に３個の半円形の切欠部を有している。この３個の切欠部と前記カラー用カートリッジ下部ケース８２の半円形の３個の切欠部とによって円形の３個のインク接続キャップ装着孔８１a
が形成されている。前記３個の各インク接続キャップ装着孔８１aにはそれぞれ、
キャップ状のインクジョイント８４
が装着されている。このインクジョイント８４は、前記図８，１０，１４に示されたインクジョイント６４とまったく同一に構成されて
　
（２）「【０１０６】
【発明の効果】前述の本発明は、
中継液室内へインクを充填する際、気泡抜き口を用いることにより、小さなインク吐出口から吸引する場合に比べて高速なインク充填が可能となる。また、気泡抜き口が中継液室の上部に連通しているので、その連通箇所すなわち中継液室の上部の気泡を抜くことが可能となる。さらに、中継液室と前記気泡抜き口との間には閉塞状態と開放状態との間で変化する開閉弁が設けられているので、印字時に前記開閉弁を閉塞しておけば、インクが漏洩するおそれがない
　
（３）図１０の記載から、マニホルド７７について、次のことが見て取れる。
　マニホルド７７は、２個の固定用フランジ７７aと、中継液室（インク収容空間）７７bとを有しており、後壁が、後方（Ｘ2方向）の第１フランジ７７aのスペースを確保するように、上下方向中央で内方に凹んでおり、前壁は、前方（Ｘ1方向）の第２フランジ７７aのスペースを確保するように、上方で内方に折れ曲がっており、上壁の後方は後方へ傾斜して下がり、上壁の前方は水平で、上壁の中央はインク注入口７７cとなっており、前記前壁と該前壁に対向するようにマニホルド７７内部に形成された仕切り壁と左右壁の前方部分とによってインク吸い込み部材装着部７７eが形成され、該インク吸い込み部材装着部７７eの一端は気泡抜き口７７fとなっており、前記インク吸い込み部材装着部７７eの他端は前記仕切り壁の上端と前記上壁の前方の水平部分と左右壁とで囲まれ、中継液室７７bの本室との連通口となっており、該中継液室７７bの本室は、前記後壁の凹み部分で上室と下室とに概略二分され、下室の底近くにインク流出口７７dが位置しており、
　前記気泡抜き口７７fからポンプＰ2により吸引されると、前記上室にある空気は該上室の上部に連通する前記連通口から吸引されて減圧されるので、上記インク流入口７７cからインクが流入して前記下室から溜まり、しだいにインクの液面が上がって前記仕切り壁の上端に達するまでインクを収容することができ、印字時には、前記インク流出口７７dからインクが流出して、インクの液面はしだいに低下すること。
　
（４）上記（１）ないし（３）の記載から、引用例には、次の発明が記載されているものと認められる。
「往復駆動され非印字時にはホームポジションで停止しているヘッドキャリッジＣに、黒用ヘッドカートリッジＫ1及びカラー用ヘッドカートリッジＫ2が装着され、
　ホームポジションで停止したヘッドキャリッジＣの下方には、上下動可能な支持プレートＢ1とこの支持プレートＢ1上面に固定された一対のブラケットＢ2と、該一対のブラケットＢ2，Ｂ2により回転自在に支持される回転自在なキャップ支持軸４a、該キャップ支持軸４aに一体的に連結されたキャップ本体４b、及び該キャップ本体４b上面に装着された長方形の弾性材料枠４cから構成されているキャップ部材４と、前記支持プレートＢ1に支持され、インクジェット記録ヘッドＨの中継液室内に連通する気泡抜き口に接続されて、前記中継液室内の流体を吸引するのに使用される部材である吸引ノズル５とを備えているキャッピング装置Ｂが配置されており、
　前記キャップ本体４bの貫通孔に接続された接続管Ｒ1は接続チューブを介して吸引ポンプＰ1に接続され、
　前記吸引ノズル５に接続された接続管Ｒ2は接続チューブを介して吸引ポンプＰ2に接続され、
　前記キャップ部材４及び吸引ノズル５は前後方向に並んで配置されており、また、ヘッドキャリッジＣに装着される後述の黒、イエロー、マゼンタ、およびシアンの各色のインクを吐出する合計４個のインクジェット記録ヘッドＨに対応するため、左右方向に各々４個づつ並んで配置され、
　前記キャリッジ本体６の後部上面にはキャリッジ後壁１１が上方に伸びて形成され、該キャリッジ後壁１１に設けられた前記黒インク供給接続部材装着孔１８及びカラーインク供給接続部材装着孔１９，２０，２１にはそれぞれ、インク供給用の筒状のジョイント接続部材４１が装着され、該ジョイント接続部材４１のカートリッジ接続部（すなわち、接合部分）４１cの前端外側面は先細りの円錐状テーパ面に形成されており、後で詳述するヘッドカートリッジＫ1，Ｋ2のテーパ状接続部を有するキャップ状のインクジョイント６４に押し付けられたときに自動的に接続され、前記筒状のジョイント接続部材４１の内孔には、固定部４１bの後端側から柔軟性のあるインク供給チューブ４２の一端が挿入され、該インク供給チューブ４２の他端は、インクジェット記録装置の適当な位置に固定配置されたインクタンクに接続されており、
　インクタンク内に収容された記録液としてのインクを、インクジェット記録ヘッドＨのインク吐出口から液滴として吐出、飛翔させ被記録媒体に付着させて記録を行うインクジェット記録装置であって、
　前記黒用ヘッドカートリッジＫ1は、インクジェット記録ヘッドＨを支持するための黒用カートリッジケース６１を備えており、この黒用カートリッジケース６１は、黒用カートリッジ下部ケース６２及び黒用カートリッジ上部ケース６３から構成され、前記黒用カートリッジ下部ケース６２には半円形の切欠部が設けられ、前記黒用カートリッジ上部ケース６３は半円形の切欠部を有し、該切欠部と前記黒用カートリッジ下部ケース６２の半円形の切欠部とによって１個の円形のインク接続キャップ装着孔６１aが形成され、該インク接続キャップ装着孔６１aには、前記キャップ状のインクジョイント６４が装着されており、
　前記インクジェット記録ヘッドＨは、前記黒用カートリッジケース６１内部に固定されるアルミ製のヒートシンク７１を備え、該ヒートシンク７１には配線基板７２が接合されるとともに複数のインク吐出路を有しているヘッドチップ７４が接着され、前記ヘッドチップ７４と配線基板７２とは多数のボンディングワイヤ７６によって接続され、前記ヒートシンク７１には、ヘッドチップ７４、ボンディングワイヤ７６及び配線基板７２の下部を覆うようにマニホルド７７が配置され、
　前記マニホルド７７は、２個の固定用フランジ７７aと、中継液室（インク収容空間）７７bとを有しており、後壁が、後方（Ｘ2方向）の第１フランジ７７aのスペースを確保するように、上下方向中央で内方に凹んでおり、前壁は、前方（Ｘ1方向）の第２フランジ７７aのスペースを確保するように、上方で内方に折れ曲がっており、上壁の後方は後方へ傾斜して下がり、上壁の前方は水平で、上壁の中央はインク注入口７７cとなっており、前記前壁と該前壁に対向するようにマニホルド７７内部に形成された仕切り壁と左右壁の前方部分とによってインク吸い込み部材装着部７７eが形成され、該インク吸い込み部材装着部７７eの一端は気泡抜き口７７fとなっており、前記インク吸い込み部材装着部７７eの他端は前記仕切り壁の上端と前記上壁の前方の水平部分と左右壁とで囲まれて中継液室７７bの本室との連通口となっており、該中継液室７７bの本室は、前記後壁の凹み部分で上室と下室とに概略二分され、下室の底近くにインク流出口７７dが位置しており、
　前記インク流入口７７cには前記インクジョイント６４の前端部が挿入され、前記インク流入口７７cから中継液室７７b内に流入したインクは、印字時には前記インク流出口７７dから流出して、前記ヘッドチップ７４内に供給されるようになっており、前記インク吸い込み部材装着部７７eには、開閉弁７９が装着されていて、前記吸引ノズル５を前記開閉弁７９先端付近のインク吸い込み部装着部７７eの開口部すなわち気泡抜き口７７fに押し付けて前記ポンプＰ2により吸引すれば、前記開閉弁７９の先端部の２つ割りの切れ目が開いて、前記マニホルド７７内の空気を吸引し、前記上室にある空気は該上室の上部に連通する前記連通口から吸引されて減圧されるので、上記インク流入口７７cからインクが流入して前記下室から溜まり、しだいにインクの液面が上がって前記仕切り壁の上端に達するまで前記マニホルド７７内にインクを充填することができるようになっており、
　前記カラー用ヘッドカートリッジＫ2は、イエロー、マゼンタ、シアンの３色のインクを別々に吐出するため３個のインクジェット記録ヘッドＨを備え、それら３個のインクジェット記録ヘッドＨが１個のカラー用カートリッジケース８１に収容され、前記カラー用ヘッドカートリッジＫ2の３個のインクジェット記録ヘッドＨは、供給されるインクの色が黒ではなく、イエロー、マゼンタ、シアンであるだけでその構成は前記黒用ヘッドカートリッジＫ1のインクジェット記録ヘッドＨの構成とまったく同じであり、
　前記カラー用ヘッドカートリッジＫ2のカラー用カートリッジケース８１は、カラー用カートリッジ下部ケース８２、カラー用カートリッジ上部ケース８３から構成され、前記カラー用カートリッジ下部ケース８２は、３個のインクジェット記録ヘッドＨが挿入されるように構成され、半円形の切欠部が３個設けられた点で、前記１個のインクジェット記録ヘッドＨが挿入されるように構成された黒用カートリッジ下部ケース６２と相違しているが、他の点では略同様に構成され、前記カラー用カートリッジ下部ケース８２に接着されるカラー用カートリッジ上部ケース８３は、前記カラー用カートリッジ下部ケース８２との接続部に３個の半円形の切欠部を有し、該３個の切欠部と前記カラー用カートリッジ下部ケース８２の半円形の３個の切欠部とによって円形の３個のインク接続キャップ装着孔８１aが形成され、該３個の各インク接続キャップ装着孔８１aにはそれぞれ、キャップ状のインクジョイント８４が装着され、該インクジョイント８４は、前記インクジョイント６４とまったく同一に構成されており、
　前記中継液室内へインクを充填する際、気泡抜き口を用いることにより、小さなインク吐出口から吸引する場合に比べて高速なインク充填が可能となり、また、前記気泡抜き口が中継液室の上部に連通しているので、その連通箇所すなわち中継液室の上部の気泡を抜くことが可能となり、さらに、前記中継液室と前記気泡抜き口との間には閉塞状態と開放状態との間で変化する開閉弁が設けられているので、印字時に前記開閉弁を閉塞しておけば、インクが漏洩するおそれがないインクジェット記録装置。」（以下「引用発明」という。）
　
４　対比
　本願補正発明と引用発明とを対比する。
（１）引用発明の「被記録媒体」、「往復」、「ヘッドキャリッジ」、「インクジェット式の記録ヘッド」、「インクジェット記録装置の適当な位置に固定配置されたインクタンク」、「インク供給チューブ」、「マニホルド」、「インク」、「インクジェット記録装置」、「中継液室の上部の気泡」、「上室」、「上壁」、「一端は気泡抜き口となっており、他端は仕切り壁の上端と上壁の前方の水平部分と左右壁とで囲まれて中継液室の本室との連通口となっている『インク吸い込み部材装着部』」、「開閉弁」、「吸引ノズル」、「上下動可能な支持プレートと、この支持プレートに支持され、インクジェット記録ヘッドの中継液室内に連通する気泡抜き口に接続されて、前記中継液室内の流体を吸引するのに使用される部材である吸引ノズルとを備えているキャッピング装置」、「吸引ポンプＰ2」、「印字時」及び「中継液室内へインクを充填する際」は、それぞれ、本願補正発明の「被記録媒体」、「移動」、「キャリッジ」、「インクジェット式の記録ヘッド」、「プリンタの本体に搭載されたインクタンク」、「インク供給管」、「バッファタンク」、「インク」、「インクジェットプリンタ」、「インクから分離した気泡」、「エアバッファ室」、「天井壁」、「気泡排出通路」、「排気弁手段」、「弁操作部材」、「気泡除去手段」、「ポンプ」、「記録ヘッドからインクを吐出するとき」及び「気泡排出時」に相当する。
　
（２）引用発明の「インクジェットプリンタ（インクジェット記録装置）」は、「移動（往復）」する「キャリッジ（ヘッドキャリッジ）」に装着された黒用ヘッドカートリッジＫ1及びカラー用ヘッドカートリッジＫ2に支持されたインクジェット記録ヘッドＨのインク吐出口から液滴として吐出、飛翔させ被記録媒体にインクを付着させて記録を行うものであるから、引用発明の「キャリッジ（ヘッドキャリッジ）」と本願補正発明の「キャリッジ」とは、「被記録媒体に対して移動する」ものであって「インクジェット式の記録ヘッドを搭載し」たものである点で一致する。
　
（３）引用発明の「インクジェットプリンタ（インクジェット記録装置）」は、「プリンタの本体に搭載されたインクタンク（インクジェット記録装置の適当な位置に固定配置されたインクタンク）」に接続された「インク供給管（インク供給チューブ）」の一端はインク供給用の筒状のジョイント接続部材の内孔に挿入され、該ジョイント接続部材のカートリッジ接続部は、ヘッドカートリッジのカートリッジケースに形成されたインク接続キャップ装着孔に装着されたキャップ状のインクジョイントに接続され、該インクジョイントの前端部が「バッファタンク（マニホルド）」のインク流入口に挿入され、該インク流入口からインクが流入して下室から溜まり、しだいにインクの液面が上がって仕切り壁の上端に達するまで「バッファタンク（マニホルド）」内にインクが充填され、前記インク流入口から中継液室内に流入したインクは、印字時には前記インク流出口から流出して、「記録ヘッド（インクジェット式の記録ヘッド）」のヘッドチップ内に供給されるようになっているから、本願補正発明の「インクジェットプリンタ」と、「プリンタの本体に搭載されたインクタンクからインク供給管を介して、前記キャリッジに搭載されたバッファタンクを経て前記記録ヘッドにインクを供給するように構成された」点で一致する。
　
（４）引用発明の「インクジェットプリンタ（インクジェット記録装置）」は、ヘッドキャリッジに、黒用ヘッドカートリッジ及びカラー用ヘッドカートリッジが装着され、前記黒用ヘッドカートリッジは、インクジェット記録ヘッドを支持するための黒用カートリッジケースを備え、前記カラー用ヘッドカートリッジは、イエロー、マゼンタ、シアンの３色のインクを別々に吐出するため３個のインクジェット記録ヘッドを備え、それら３個のインクジェット記録ヘッドが１個のカラー用カートリッジケースに収容され、前記カラー用ヘッドカートリッジの３個のインクジェット記録ヘッドは、供給されるインクの色が黒ではなく、イエロー、マゼンタ、シアンであるだけでその構成は前記黒用ヘッドカートリッジのインクジェット記録ヘッドの構成とまったく同じであるから、引用発明の「記録ヘッド（インクジェット式の記録ヘッド）」と本願補正発明の「記録ヘッド」とは「複数のインク供給チャンネルを有」する点で一致し、上記（１）及び（３）に照らせば、引用発明の「バッファタンク（マニホルド）」と本願補正発明の「バッファタンク」とは「インクとそのインクから分離した気泡とを貯留するエアバッファ室が各インク供給チャンネルに対応して複数形成され」ている点で一致し、引用発明の「気泡排出通路（インク吸い込み部材装着部）」と本願補正発明の「気泡排出通路」とは「各エアバッファ室ごとに形成され」ている点で一致する。
　
（５）引用発明の「気泡排出通路（インク吸い込み部材装着部）」は、一端は気泡抜き口となっており、他端は仕切り壁の上端と「天井壁（上壁）」の前方の水平部分と左右壁とで囲まれて中継液室の本室との連通口となっており、該中継液室の本室は、後壁の凹み部分で「エアバッファ室（上室）」と下室とに概略二分されているから、その他端は「『エアバッファ室（上室）』の『天井壁（上壁）』」に接続されているといえる。
　よって、上記（１）及び（３）に照らせば、引用発明の「気泡排出通路（インク吸い込み部材装着部）」と本願補正発明の「気泡排出通路」とは、「各エアバッファ室の天井壁に一端を接続し他端を外部に開放可能とする」点で一致する。
　
（６）引用発明において、「気泡排出通路（インク吸い込み部材装着部）」には、「排気弁手段（開閉弁）」が装着されていて、吸引ノズルを「排気弁手段（開閉弁）」先端付近の「気泡排出通路（インク吸い込み部材装着部）」の開口部すなわち気泡抜き口に押し付けてポンプＰ2により吸引すれば、前記「排気弁手段（開閉弁）」先端部の２つ割りの切れ目が開くから、上記（１）、（３）及び（５）に照らせば、引用発明の「排気弁手段（開閉弁）」と本願補正発明の「排気弁手段」とは「各気泡排出通路の他端側にそれぞれ設けられ、該気泡排出通路を開閉する」点で一致する。
　
（７）引用発明において、「気泡排出通路（インク吸い込み部材装着部）」は「バッファタンク（マニホルド）」に形成され、「バッファタンク（マニホルド）」はヒートシンクに配置され、該ヒートシンクはインクジェット記録ヘッドに備えられ、インクジェット記録ヘッドはヘッドカートリッジに支持され、黒用ヘッドカートリッジＫ1及びカラー用ヘッドカートリッジＫ2は、「キャリッジ（ヘッドキャリッジ）」に装着されているから、「キャリッジ（ヘッドキャリッジ）」には、「気泡排出通路（インク吸い込み部材装着部）」が形成されているといえる。
　したがって、上記（４）ないし（６）からして、引用発明は、本願補正発明の「前記キャリッジには、前記各エアバッファ室の天井壁に一端を接続し他端を外部に開放可能とする気泡排出通路が前記各エアバッファ室ごとに形成され、該各気泡排出通路の他端側には、該気泡排出通路を開閉する排気弁手段がそれぞれ設けられ、」との事項を備えているといえる。
　
（８）引用発明の「インクジェットプリンタ（インクジェット記録装置）」は、
　非印字時にホームポジションで停止した「キャリッジ（ヘッドキャリッジ）」の下方には、上下動可能な支持プレートと、この支持プレートに支持され、インクジェット記録ヘッドの中継液室内に連通する気泡抜き口に接続されて、前記中継液室内の流体を吸引するのに使用される部材である「弁操作部材（吸引ノズル）」とを備えている「気泡除去手段（キャッピング装置）」が配置されており、
　前記「弁操作部材（吸引ノズル）」に接続された接続管Ｒ2は接続チューブを介して「ポンプ（吸引ポンプＰ2）」に接続され、
　インク流入口にはインクジョイントの前端部が挿入され、前記インク流入口から中継液室内に流入したインクは、「記録ヘッドからインクを吐出するとき（印字時）」にはインク流出口から流出して、ヘッドチップ内に供給されるようになっており、
　前記「弁操作部材（吸引ノズル）」を「排気弁手段（開閉弁）」先端付近の「気泡排出通路（インク吸い込み部材装着部）」の開口部すなわち気泡抜き口に押し付けて前記「ポンプ（吸引ポンプＰ2）」により吸引すれば、前記「排気弁手段（開閉弁）」の先端部の２つ割りの切れ目が開いて、「バッファタンク（マニホルド）」内の空気を吸引し、「エアバッファ室（上室）」にある空気は該「エアバッファ室（上室）」の上部に連通する連通口から吸引されて減圧されるので、上記インク流入口からインクが流入して下室から溜まり、しだいにインクの液面が上がって仕切り壁の上端に達するまで前記「バッファタンク（マニホルド）」内にインクを充填することができ、
　「気泡排出時（中継液室内へインクを充填する際）」、気泡抜き口を用いることにより、小さなインク吐出口から吸引する場合に比べて高速なインク充填が可能となり、また、前記気泡抜き口が中継液室の上部に連通しているので、その連通箇所すなわち中継液室の上部の気泡を抜くことが可能となり、さらに、前記中継液室と前記気泡抜き口との間には閉塞状態と開放状態との間で変化する「排気弁手段（開閉弁）」が設けられているので、「記録ヘッドからインクを吐出するとき（印字時）」に前記「排気弁手段（開閉弁）」を閉塞しておけば、インクが漏洩するおそれがないものであり、
　前記「弁操作部材（吸引ノズル）」を「排気弁手段（開閉弁）」先端付近の「気泡排出通路（インク吸い込み部材装着部）」の開口部すなわち気泡抜き口に押し付けて前記「ポンプ（吸引ポンプＰ2）」により吸引すれば、「エアバッファ室（上室）」内のインクに作用することは当業者に自明であるから、
　引用発明の「インクジェットプリンタ（インクジェット記録装置）」と本願補正発明の「インクジェットプリンタ」とは「前記キャリッジ外の位置には、該各排気弁手段を開放させる弁操作部材を有する気泡除去手段、及び前記各エアバッファ室からの気泡排出時に前記各エアバッファ室内のインクに作用するポンプが備えられ」ている点で一致し、引用発明の「排気弁手段（開閉弁）」と本願補正発明の「排気弁手段」とは、「前記記録ヘッドからインクを吐出するときには閉じられ、前記気泡排出時には開放される」点で一致する。
　
（９）上記（１）ないし（８）によれば、本願補正発明と引用発明とは、
「被記録媒体に対して移動するキャリッジにインクジェット式の記録ヘッドを搭載し、プリンタの本体に搭載されたインクタンクからインク供給管を介して、前記キャリッジに搭載されたバッファタンクを経て前記記録ヘッドにインクを供給するように構成されたインクジェットプリンタにおいて、
　前記記録ヘッドは複数のインク供給チャンネルを有し、
　前記バッファタンクには、インクとそのインクから分離した気泡とを貯留するエアバッファ室が各インク供給チャンネルに対応して複数形成され、
　前記キャリッジには、前記各エアバッファ室の天井壁に一端を接続し他端を外部に開放可能とする気泡排出通路が前記各エアバッファ室ごとに形成され、該各気泡排出通路の他端側には、該気泡排出通路を開閉する排気弁手段がそれぞれ設けられ、
　前記キャリッジ外の位置には、該各排気弁手段を開放させる弁操作部材を有する気泡除去手段、及び前記各エアバッファ室からの気泡排出時に前記各エアバッファ室内のインクに作用するポンプが備えられ、
　前記排気弁手段は、前記記録ヘッドからインクを吐出するときには閉じられ、前記気泡排出時には開放されるインクジェットプリンタ。」である点で一致し、次の点で相違する。
　
相違点：
　本願補正発明では、前記各エアバッファ室からの気泡排出時に、前記ポンプが前記各エアバッファ室内のインクに「共通に」作用し、かつ、前記各気泡排出通路が「前記気泡排出のための流路抵抗値が相互にほぼ等しく」なるように形成されているのに対して、
　引用発明では、前記ポンプが前記各エアバッファ室内のインクに共通に作用するかどうか明らかでなく、かつ、前記各気泡排出通路の前記気泡排出のための流路抵抗値がそれぞれ同等のものかどれほどの違いがあるものかも不明である点。
　
５　判断
　上記相違点について検討する。
（１）吸引ポンプにより連通路を介して吸引対象箇所から空気やインクを吸引する際に、複数の吸引対象箇所の空気やインクに各連通路を介して共通に吸引力を作用させるようになっているインクジェットプリンタは、本願の優先日前に周知である（以下「周知技術１」という。例．特開平７−２１４７９４号公報（【０００７】、【００１７】〜【００１９】及び図１７参照。）、特開２０００−３３４９７６号公報（【００１８】、【００４２】〜【００４６】及び図１〜図７の記載、【００５１】〜【００５５】及び図９〜図１４の記載参照。））。
　
（２）複数の連通路に共通に吸引力を作用させる場合に、各連通路の流路抵抗を同程度にすることが望ましいことは、本願の優先日前に周知である（以下「周知技術２」という。例．特開平７−６８７９０号公報（【００５０】参照。）、特開平９−２７７５６１号公報（【００１６】参照。）、原査定の拒絶の理由に引用された特開平１０−１３８４８５号公報（【００３０】、【００５１】〜【００５２】及び図５参照。））。
　
（３）引用発明は、ホームポジションで停止したヘッドキャリッジの下方に配置されたキャッピング装置に備えられている上下動可能な支持プレートに、ヘッドキャリッジに装着される黒、イエロー、マゼンタ及びシアンの各色のインクを吐出する合計４個のインクジェット記録ヘッドに対応するため左右方向に４個並んで配置されて支持された吸引ノズルを、開閉弁先端付近のインク吸い込み部装着部の開口部すなわち気泡抜き口に押し付けて、接続チューブを介して前記吸引ノズルに接続された吸引ポンプＰ2により、インクジェット記録ヘッドの中継液室内の流体を吸引するようになっているから、吸引ポンプにより複数の吸引対象箇所から各連通路を介して空気やインクを吸引するものといえるところ、引用発明において、複数の吸引対象箇所である各色のインクを吐出する各インクジェット記録ヘッドの中継液室内の流体に各接続チューブを介して共通に吸引力を作用させるようにするとともに、各色のインクを吐出する各インクジェット記録ヘッドついて、インク吸い込み部材装着部、吸引ノズル及び接続チューブからなる連通路の流路抵抗を同程度にすることは、当業者が周知技術１及び２に基づいて容易に想到することができた程度のことである。
　
（４）引用発明において、上記（３）のとおり、各色のインクを吐出する各インクジェット記録ヘッドの中継液室内の流体に各接続チューブを介して共通に吸引力を作用させるようにするとともに、各色のインクを吐出する各インクジェット記録ヘッドついて、インク吸い込み部材装着部、吸引ノズル及び接続チューブからなる連通路の流路抵抗を同程度にすることは、引用発明において、前記各エアバッファ室からの気泡排出時に、前記ポンプが前記各エアバッファ室内のインクに共通に作用し、かつ、前記各気泡排出通路が前記気泡排出のための流路抵抗値が相互にほぼ等しくなるように形成されることに相当するから、引用発明において、上記相違点に係る本願補正発明の構成となすことは、上記（３）からみて、当業者が周知技術１及び２に基づいて容易に想到することができた程度のことである。
　
（５）本願補正発明の奏する効果は、引用発明の奏する効果、周知技術１が奏する効果及び周知技術２が奏する効果から、当業者が予測できた程度のものである。
　
（６）まとめ
　したがって、本願補正発明は、当業者が引用例に記載された発明及び周知技術に基づいて容易に発明をすることができたものである。
　
６　小括
　以上のとおり、本願補正発明は、当業者が引用例に記載された発明及び周知技術に基づいて容易に発明をすることができたものであるから、特許出願の際独立して特許を受けることができないものである。
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　本件補正は上記のとおり却下されたので、本願の請求項１ないし８に係る発明は、平成２０年１０月１７日付け手続補正により補正された明細書、特許請求の範囲及び図面の記載からみて、その特許請求の範囲の請求項１ないし８に記載された事項によって特定されるとおりのものであると認められるところ、請求項１に係る発明（以下「本願発明」という。）は、上記「第２〔理由〕１（１）」に本件補正前の請求項１として記載したものである。
　
２　引用例
　原査定の拒絶の理由に引用された引用例及びその記載事項は、前記「第２〔理由〕３」に記載したとおりである。
　
３　対比・判断　
　上記「第２〔理由〕２」で述べたとおり、本願補正発明は、本願発明を特定するために必要な事項について限定を付加したものに相当する。
　そうすると、本願発明の構成要件をすべて含み、さらに限定を付加したものに相当する本願補正発明が、前記「第２〔理由〕５」に記載したとおり、当業者が引用例に記載された発明及び周知技術に基づいて容易に発明をすることができたものであるから、本願発明も同様の理由により、当業者が引用例に記載された発明及び周知技術に基づいて容易に発明をすることができたものである。
　
４　むすび 
　以上のとおり、本願発明は、当業者が引用例に記載された発明及び周知技術に基づいて容易に発明をすることができたものであるから、特許法第２９条第２項の規定により特許を受けることができない。
　よって、結論のとおり審決する。